(57)【要約】【課題】回転刈刃の駆動・停止及び回転速度制御を、エンジンやモーターの動力運転によらずに、使い手の意思と動作により行う手動方式の草刈取手段を提供しようとするものである。【解決手段】縦型の軸受に軸支した刈刃軸下端部に刈刃を軸止し、軸受上部の頂部に、一対の一方向クラッチを串型に嵌設し、該クラッチにより、同刈刃軸及び刈刃を一方向へのみ駆動可能とするよう設定し、各クラッチには、それぞれ一対のクランクを側方へ凸設し、軸受側部には、主桿を片持ち状に横設し、該主桿自由端にＴ字型に形設した支桿両端部に、一対の鈎の手形のハンドルの曲折部を軸支して水平状に回動可能とすると共に、対向状の鈎の手形自由端部を主桿に沿い往復回動自在となし、クランク回動端部に一対の連桿の一端を連結し、他端を隣接状に纏めて継手へ連結し、該継手と各ハンドルの鈎の手形自由端部との間を、それぞれ一対の継手桿により連結してている。【選択図】図１
0003138241.tif 000002
【実用新案登録請求の範囲】
【請求項１】
縦型の軸受（１１）に軸支した刈刃軸（１２）下端部に刈刃（１）を軸止し、軸受（１１）上部の頂部に、一対の一方向クラッチ（３，３）を串型に嵌設し、該クラッチにより、予め、同刈刃軸及び刈刃を一方向へのみ駆動可能とするよう設定し、各クラッチには、それぞれ一対のクランク（４，４）を側方へ凸設し、軸受（１１）側部には、主桿（２）を片持ち状に横設し、該主桿自由端にＴ字型に形設した支桿（２１）両端部に、一対の鈎の手形のハンドル（７，７）の曲折部を軸支して水平状に回動可能とすると共に、対向状の鈎の手形自由端部を主桿に沿い往復回動自在となし、クランク（４，４）回動端部に一対の連桿（５，５）の一端を連結すると共に、他端を隣接状に纏めて継手（６）へ連結し、該継手と各ハンドルの鈎の手形自由端部との間を、それぞれ一対の継手桿（８，８）により連結してなり、通常の刈り込み鋏の開閉状操作と同様に、ハンドルを開閉状に反復して往復回動操作することにより、継手桿、継手、連桿クランク及び一方向クラッチを介して、既定の一方向へのみ、刈刃軸並びに刈刃を連続的に駆動可能とすることを特徴とする手動草刈機。
【請求項２】
主桿（２）下位の中途にＵ字型脚（２２）を吊設し、同脚の底辺を刈刃受盤（１３）位より下位へ形設してなり、草刈作業において、機体荷重を支持可能としてなる請求項１記載の手動草刈機。
【考案の詳細な説明】
【技術分野】
【０００１】  本考案は、回転刈刃を手動により駆動して草本の茎葉刈取りに供する草刈取手段に関するものである。
【背景技術】
【０００２】  従来の刈払機など、垂直軸回転刈刃を有するの草刈取り手段は、刈刃に丸鋸刃及びナイロンコードなどの線条刃を適用し、エンジンやモーターにより、高速回転して草本類の茎葉体を切断速度１０〜２０ｍ／ｓ級の高速度で自由切断を行うこととしており、農作物や下草などの刈払に適するが、高速回転の騒音・振動を伴い、小石や木片などの障碍物を刃部により飛散し、刃部を欠損することがあり、取り扱いに注意を要するものである。
【考案の開示】
【考案が解決しようとする課題】
【０００３】  本考案は、上記の問題に鑑みてなされたものであって、その目的とするところは、回転刈刃の駆動・停止及び回転速度制御を、エンジンやモーターの動力運転によらずに、使い手の意思と動作により行う手動方式の草刈取手段を提供しようとするものである。
【課題を解決するための手段】
【０００４】  上記の目的を達成するために、本考案における手動草刈機においては、縦型の軸受（１１）に軸支した刈刃軸（１２）下端部に刈刃（１）を軸止し、軸受（１１）上部の頂部に、一対の一方向クラッチ（３，３）を串型に嵌設し、予め、同刈刃軸及び刈刃を一方向へのみ駆動可能とするよう設定し、各クラッチには、それぞれ同形のクランク（４，４）を側方へ凸設し、軸受（１１）側部には、主桿（２）を片持ち状に横設し、該主桿自由端にＴ字型に形設した支桿（２１）両端部に、一対の鈎の手形のハンドル（７，７）の曲折部を軸支して水平状に回動可能とすると共に、対向状の鈎の手形自由端部を主桿に沿い往復回動自在となし、クランク（４，４）回動端部に一対の連桿（５，５）の一端を連結すると共に、他端を隣接状に纏めて継手（６）へ連結し、該継手と各ハンドルの鈎の手形自由端部との間を、それぞれ一対の継手桿（８，８）により連結してなり、通常の刈り込み鋏の開閉状操作と同様に、ハンドルを開閉状に反復して往復回動操作することにより、継手桿、継手、連桿クランク及び一方向クラッチを介して、既定の一方向へのみ、刈刃軸並びに刈刃を連続的に駆動可能としている。【０００５】  また、上記構成のものにおいて  主桿（２）下位の中途にＵ字型脚（２２）を吊設し、同脚の底辺を刈刃受盤（１３）位より下位へ形設してなり、草刈作業において、機体荷重を支持可能としている。【０００６】  上記解決手段による作用は、次の通りである。  すなわち、使い手は、両側のハンドル（７，７）を、通常の刈り込み鋏の開閉状操作と同様に、軸支位回りに、開閉状に往復回動して鈎の手形の自由端部を主桿に沿い往復回動操作すると、継手桿（８，８）、継手（６）、連桿（５，５）、クランク（４，４）及び一方向クラッチ（３，３）を順次作動し、同クラッチに設定した一方向へのみ、刈刃軸（１１）並びに刈刃（１）を回転し、同刈刃の慣性により回転速度を維持しつつ、さらにハンドルの往復回動操作を反復することにより、刈刃の回転速度を加速することが可能であって、容易に草本茎葉の自由切断速度まで加速して円滑に切断作業を行い、同時に、主桿（２）下位のＵ字型脚（２２）の底辺に機体荷重を支持し、刈刃下位の受盤（１３）への分担荷重を軽減して刈刃の回転力に対する抵抗を低減すると共に、同底辺の橇状滑り効果を利用し、ハンドルにより機体を前進及び後進しつつ、円滑に草刈作業を行うこととしている。
【考案の効果】
【０００７】  本考案の手動草刈機は、両側のハンドルを、通常の刈り込み鋏の操作と同様に、軸支位回りに、開閉状に往復回動してハンドルの鈎の手形自由端部より、継手桿、継手、連桿、クランク及び一方向クラッチを順次作動し、同クラッチにより予め設定した一方向へのみ、刈刃を駆動し、同刈刃の慣性により回転速度を持続し、さらにハンドルを開閉状に往復操作を反復して、刈刃回転速度を加速し、草本茎葉の自由切断を行うことができる。【０００８】  また、上記により、草本茎葉の自由切断を行うと同時に、主桿に吊設したＵ字型脚の底辺に機体荷重を支持し、刈刃受盤への分担荷重を軽減し、刈刃の駆動抵抗を軽減して草刈の作業強度を緩和すると共に、同底辺による橇状滑り効果を利用して、機体の前後移動を行い、円滑に草刈作業を行うことができる。【０００９】  本考案の手動草刈機は、上述のように、手動により刈刃を駆動し、通常の草刈機におけるエンジンやモーターの動力を使用しないため、エンジンやモーターの騒音・振動がなく、小石や木片などの障碍物を刃部により飛散し、刃部を欠損することもなく、作業中の障碍並びに異状を感知すれば直ちに操作を停止し、安全な草刈作業を行うことができる。【００１０】  また、本考案の手動草刈機は、上述のように、手動により刈刃を駆動して草刈作業を行うと共に、肢体のトレーニングを兼ねることができる。
【考案を実施するための最良の形態】
【００１１】  考案の実施の形態として、縦型の軸受（１１）に軸支した刈刃軸（１２）下端部に刈刃（１）を軸止し、軸受（１１）上部の頂部に、一対の一方向クラッチ（３，３）を串型に嵌設し、該クラッチにより、予め、同刈刃軸及び刈刃を一方向へのみ駆動可能とするよう設定し、各クラッチには、それぞれ一対のクランク（４，４）を側方へ凸設し、軸受（１１）側部には、主桿（２）を片持ち状に横設し、該主桿自由端にＴ字型に形設した支桿（２１）両端部に、一対の鈎の手形のハンドル（７，７）の曲折部を軸支して水平状に回動可能とすると共に、対向状の鈎の手形自由端部を主桿に沿い往復回動自在となし、クランク（４，４）回動端部に一対の連桿（５，５）の一端を連結すると共に、他端を隣接状に纏めて継手（６）へ連結し、該継手と各ハンドルの鈎の手形自由端部との間を、それぞれ一対の継手桿（８，８）により連結してなり、通常の刈り込み鋏の開閉状操作と同様に、ハンドルを開閉状に反復して往復回動操作することにより、継手桿、継手、連桿クランク及び一方向クラッチを介して、既定の一方向へのみ、刈刃軸並びに刈刃を連続的に駆動可能としている。【００１２】  また、上記の構成のものにおいて、図１ないし図３に示すように、主桿（２）の中途の下位にＵ字型脚（２２）の底辺を、刈刃受盤（１３）位より下位へ形設し、同底辺により、草刈作業において機体重量を支持し、刈刃受盤（１３）への分担荷重を軽減して刈刃駆動への抵抗を低減している。【００１３】  つぎに、図面につき、実施形態の作用概要を述べる。
図１は、考案の実施の形態を示す斜視図であって、ハンドル（７）を中間位置付近に保持した状態を示し、図２は、図１の機体上方から視る平面図であって、矢印（ａ）は、一方クラッチ（３）、刈刃軸（１２）及び刈刃（１）に設定する回転方向を示し、図３は、図２の機体側方から視る立面図である。【００１４】  図４は、ハンドル（７，７）の開位置より閉位置側への作動状態を示し、図５は、ハンドル（７，７）の閉位置より開位置側への作動状態を示し、通常の刈り込み鋏の開閉状操作と同様に、図４の開位置側と、図５の閉位置との間において、開閉状に往復操作可能としている。【００１５】  そして、図４のハンドル開位置より閉位置側へ、即ち、矢印ｂ、ｂ′側へ操作するとき、ハンドルの鈎の手形の自由端部に連結したの継手桿（８，８）及び継手（６）を介して連桿（５，５）を矢印ｃ、ｃ′側へ作動し、クランク（４，４）と一方向クラッチ（３，３）とを矢印ｄ、ｄ′側へ作動し、矢印ｄ側の作動により、既定の矢印（ａ）側への回転方向へのみ、刈刃（１）の駆動が可能であって、矢印ｃ′，ｄ′への作動による伝動は無効となるが、両側のハンドルによる矢印ｂ、ｂ′への操作力は、継手桿（８，８）及び継手（６）を介して連係されており、共に矢印ｃ，ｄ側へ伝動し、刈刃（１）を既定の矢印（ａ）方向へ駆動することとなる。【００１６】  図５において、図４とは逆向きに、閉位のハンドル（７，７）を閉位置側へ、即ち、矢印ｅ、ｅ′側へ操作するとき、上記の作動経路と逆向きに、矢印ｅ、ｆ〜ｇと、矢印ｅ′、ｆ′〜ｇ′となり、両側のハンドルの矢印ｅ、ｅ′側への操作力は、継手桿（８，８）及び継手（６）を介して連係されており、共に矢印ｆ′〜ｇ′側へ操作力を伝動し、既定の回転方向矢印（ａ）側への刈刃（１）の駆動が可能となる。【００１７】  そして、、図４及び図５における、ハンドル（７，７）の往復操作、即ち、矢印ｂ、ｂ′と矢印ｅ、ｅ′との各ハンドル操作を、通常の刈り込み鋏の開閉状操作と同様に行い、刈刃（１）を既定の矢印（ａ）方向へ回転し、刈刃の慣性により回転速度を持続しつつ、さらに、各ハンドル操作を反復して刈刃の回転速度を加速して草本茎葉の自由切断を可能とし、同時に、主桿に吊設したＵ字型脚の底辺により、機体荷重を支持し、刈刃受盤への分担荷重を軽減し、刈刃の駆動抵抗可を軽減して作業強度を緩和するすると共に、同底辺による橇状滑り効果を利用して、機体の前後移動を行い、円滑な草刈作業を可能とすることとしている。【００１８】  図６は、軸受（１１）及び一方向クラッチ（３，３）付近の実施例を示す詳細断面図である。
【産業上の利用可能性】
【００１９】  本考案は、茎葉体の刈払及び刈取作業に供する草刈機に適用するほか、比較的小規模の手作業用として、農用刈取機、牧草刈取機ないし堤防法面や芝刈り用のロータリカッターなどにも適用できる。
【図面の簡単な説明】
【００２０】
【図１】  本考案手動草刈機の斜視図である。
【図２】  本考案手動草刈機のハンドル中間位置における状態を示す平面図である。
【図３】  図２の機体側方より視る立面図である。
【図４】  本考案手動草刈機のハンドル開位置より閉位置側への作動状態を示す平面図である。
【図５】  本考案手動草刈機のハンドル閉位置より開位置側への作動状態を示す平面図である。
【図６】  図１ないし図５における、軸受及び一方向クラッチ付近の実施例を示す詳細の断面図である。
【符号の説明】
【００２１】  １    刈刃
１１  軸受
１２  刈刃軸
１３  刈刃受盤
２    主桿
２１  支桿
２２  Ｕ字型脚
３    一方向クラッチ
４    クランク
５    連桿
６    継手
７    ハンドル
８    継手桿
【図１】
0003138241.tif 000003
【図２】
0003138241.tif 000004
【図３】
0003138241.tif 000005
【図４】
0003138241.tif 000006
【図５】
0003138241.tif 000007
【図６】
0003138241.tif 000008